(57)【特許請求の範囲】
【請求項１】
ケーブルが押し込まれる溝を有し、この溝の長手方向中間部の片側の内壁面に溝深さ方向に両側の角部が直角又は鋭角の凸条を形成し、反対側の内壁面に溝深さ方向に前記凸条より幅の広い両側の角部が直角又は鋭角の凹条を形成し、前記凸条の両側の角部と前記凹条の両側の角部により、前記溝に押し込まれたケーブルに２箇所で逆方向のせん断力を加え、前記角部をケーブルの外被に食い込ませて、ケーブルを挟み付けるようにしたケーブル把持部を多数配列したケーブル接続箱であって、前記ケーブル把持部を構成する溝の外端が、溝の両側の壁と一体に形成された薄壁で塞がれていることを特徴とするケーブル接続箱。
【請求項２】
ケーブルが押し込まれる溝を有し、この溝の長手方向中間部の片側の内壁面に溝深さ方向に両側の角部が直角又は鋭角の凸条を形成し、反対側の内壁面に溝深さ方向に前記凸条より幅の広い両側の角部が直角又は鋭角の凹条を形成し、前記凸条の両側の角部と前記凹条の両側の角部により、前記溝に押し込まれたケーブルに２箇所で逆方向のせん断力を加え、前記角部をケーブルの外被に食い込ませて、ケーブルを挟み付けるようにしたケーブル把持部を多数配列したケーブル接続箱であって、前記ケーブル把持部の配列方向の中間を境に、凸条及び凹条の向きが反対になっていて、凸条が配列方向の中間を向き、凹条が配列方向の両端側を向いていることを特徴とするケーブル接続箱。
【請求項３】
ケーブルが押し込まれる溝を有し、この溝の長手方向中間部の片側の内壁面に溝深さ方向に両側の角部が直角又は鋭角の凸条を形成し、反対側の内壁面に溝深さ方向に前記凸条より幅の広い両側の角部が直角又は鋭角の凹条を形成し、前記凸条の両側の角部と前記凹条の両側の角部により、前記溝に押し込まれたケーブルに２箇所で逆方向のせん断力を加え、前記角部をケーブルの外被に食い込ませて、ケーブルを挟み付けるようにしたケーブル把持部を多数配列したケーブル接続箱であって、前記ケーブル把持部を構成する溝の外端が、溝の両側の壁と一体に形成された薄壁で塞がれており、かつ前記ケーブル把持部の配列方向の中間を境に、凸条及び凹条の向きが反対になっていて、凸条が配列方向の中間を向き、凹条が配列方向の両端側を向いていることを特徴とするケーブル接続箱。
【請求項４】
請求項１ないし３のいずれかに記載のケーブル接続箱であって、前記ケーブル把持部は、凸条を形成した側の内壁面及びその凸条を、溝の奥部側で溝幅が狭く、溝の開口部側で溝幅が広くなるように複数段に形成し、１つの溝でサイズの異なる複数種類のケーブルを把持できるようになっていることを特徴とするケーブル接続箱。
【発明の詳細な説明】
【０００１】
【発明の属する技術分野】
本発明は、光ケーブル接続箱のケーブル導入部などで、
ケーブルを簡単に把持できるようにしたケーブル把持部を備えたケーブル接続箱に関するものである。
【０００２】
【従来の技術】
屋外から屋内に引き込まれる少心光ケーブル（例えば１心ないし８心程度）と、屋内に配線される少心光ケーブルとの接続に用いられるケーブル接続箱などでは、ケーブル導入部で、多数の光ケーブルを、狭い間隔で、簡単に把持できるようにすることが求められる。
【０００３】
少心の光ケーブルを簡単に把持するには、ケーブル導入部に溝を形成して、この溝の中にケーブルを押し込んで把持する構造にすることが考えられる。このタイプのケーブル把持部としては、溝内の対向する壁面に交互に形成した突起で、ケーブルを蛇行させて把持するものや、溝に押し込んだケーブルに弾性片を押し付けて把持するもの等が公知である。
【０００４】
【発明が解決しようとする課題】
しかし溝の中でケーブルを蛇行させて把持する構造は、蛇行回数を多くしないと十分な把持力を得ることが難しく、蛇行回数を多くすると光ファイバの損失増加が発生しやすいという問題がある。また溝の中でケーブルに弾性片を押し付けて把持する構造は、やはり十分な把持力を得ることが難しく、ケーブルが引き抜けやすいという問題がある。
【０００５】
本発明の目的は、溝の中にケーブルを押し込んで把持するタイプで、ケーブルをしっかりと把持することができ、しかも多数のケーブルを狭い間隔で、簡単に把持できるケーブル把持部を備えたケーブル接続箱を提供することにある。
【０００６】
【課題を解決するための手段】
本発明に係るケーブル接続箱は、ケーブルが押し込まれる溝を有し、この溝の長手方向中間部の片側の内壁面に溝深さ方向に両側の角部が直角又は鋭角の凸条を形成し、反対側の内壁面に溝深さ方向に前記凸条より幅の広い両側の角部が直角又は鋭角の凹条を形成し、前記凸条の両側の角部と前記凹条の両側の角部により、前記溝に押し込まれたケーブルに２箇所で逆方向のせん断力を加え、前記角部をケーブルの外被に食い込ませて、ケーブルを挟み付けるようにしたケーブル把持部を多数配列したケーブル接続箱であって、前記ケーブル把持部を構成する溝の外端が、溝の両側の壁と一体に形成された薄壁で塞がれていることを特徴とするものである（請求項１）。
【０００７】
上記のように、凸条と凹条の角部でケーブルにせん断力を加えるようにしてケーブルを把持すると、比較的大きな把持力（耐引抜き力）が得られる。
上記の薄壁は溝にケーブルを押し込むときに切除される。上記のような薄壁を形成しておくと、ケーブルを押し込んだ溝の隣りの溝が空いている（未使用の）場合、ケーブルを押し込んだ溝とその隣りの空き溝との間の壁が、ケーブルの押込みにより空き溝側へ傾くのを抑制でき、ケーブル把持力の低下を防止できる。また溝を通して塵埃がケーブル接続箱内に入るのを防止できる。
【０００８】
また本発明に係るケーブル接続箱は、ケーブルが押し込まれる溝を有し、この溝の長手方向中間部の片側の内壁面に溝深さ方向に両側の角部が直角又は鋭角の凸条を形成し、反対側の内壁面に溝深さ方向に前記凸条より幅の広い両側の角部が直角又は鋭角の凹条を形成し、前記凸条の両側の角部と前記凹条の両側の角部により、前記溝に押し込まれたケーブルに２箇所で逆方向のせん断力を加え、前記角部をケーブルの外被に食い込ませて、ケーブルを挟み付けるようにしたケーブル把持部を多数配列したケーブル接続箱であって、前記ケーブル把持部の配列方向の中間を境に、凸条及び凹条の向きが反対になっていて、凸条が配列方向の中間を向き、凹条が配列方向の両端側を向いていることを特徴とするものである（請求項２）。
【０００９】
このようにすると、各ケーブル把持部を通してケーブル接続箱に導入された多数のケーブルを、輪取りなどのために収束させたときに、各ケーブルの把持力を均等化することができる。
【００１０】
また本発明に係るケーブル接続箱は、ケーブルが押し込まれる溝を有し、この溝の長手方向中間部の片側の内壁面に溝深さ方向に両側の角部が直角又は鋭角の凸条を形成し、反対側の内壁面に溝深さ方向に前記凸条より幅の広い両側の角部が直角又は鋭角の凹条を形成し、前記凸条の両側の角部と前記凹条の両側の角部により、前記溝に押し込まれたケーブルに２箇所で逆方向のせん断力を加え、前記角部をケーブルの外被に食い込ませて、ケーブルを挟み付けるようにしたケーブル把持部を多数配列したケーブル接続箱であって、前記ケーブル把持部を構成する溝の外端が、溝の両側の壁と一体に形成された薄壁で塞がれており、かつ前記ケーブル把持部の配列方向の中間を境に、凸条及び凹条の向きが反対になっていて、凸条が配列方向の中間を向き、凹条が配列方向の両端側を向いていることを特徴とするものであってもよい（請求項３）。
【００１１】
また本発明のケーブル接続箱におけるケーブル把持部は、凸条を形成した側の内壁面及びその凸条を、溝の奥部側で溝幅が狭く、溝の開口部側で溝幅が広くなるように複数段に形成し、１つの溝でサイズの異なる複数種類のケーブルを把持できるようにするとよい（請求項４）。
このようにするとサイズの異なる複数種類のケーブルを、より高密度で把持することができる。
【００１２】
【発明の実施の形態】
以下、本発明の実施の形態を、図面を参照して詳細に説明する。
【００１３】
〔実施形態１〕  図１は本発明に係るケーブル接続箱の一実施形態を示す。図において、
10は屋外から屋内に引き込まれるドロップケーブルあるいは屋内に配線される光ケーブルのような少心の光ケーブル、12は光ケーブル10を外被を剥がずに収容する下側ケース、14は光ケーブル10の外被を剥いで露出させた光ファイバ心線とその接続部を収容する上側ケース、16は上側ケース14を下側ケース12に開閉可能に連結するヒンジ部である。上側ケース14は、１枚の下層トレイ14Ａとその上に積層された複数枚の上層トレイ14Ｂとから構成されている。下層ケース12には、光ケーブル10を導入する部分に、多数のケーブル把持部18が配列されている。各ケーブル把持部18は光ケーブル10が押し込まれる溝20を有している。
【００１４】
図１では光ケーブル10を１本だけ示したが、実際には下側ケース12には多数の光ケーブル10が導入される。また図１ではケーブル接続箱が下側ケース12と上側ケース14で構成され、上側ケース14が下層トレイ14Ａと上層トレイ14Ｂとで構成される場合を示したが、ケーブル接続箱はこれ以外の構成であってもよい。ケーブル接続箱は要するにケーブル導入部にケーブルが押し込まれる溝20を有するケーブル把持部18が設けられているものであればよい。
【００１５】
この実施形態では、ケーブル把持部18は図２のように形成されている。
すなわち、ケーブル10が押し込まれる溝20の長手方向中間部の、片側の内壁面20ａに溝深さ方向に凸条22が形成され、反対側の内壁面20ｂに溝深さ方向に凹条24が形成されている。凹条24の幅W2は凸条22の幅W1より広くしてある。ただし凸条22と凹条24の幅方向（溝20の長手方向）の中心位置は同じである。凸条22は両側に角部22ａ、22ｂを有しており、凹条24も両側に角部24ａ、24ｂを有している。また凸条22の頂面と凹条24の底面との間の溝幅Ｓは、光ケーブル10の厚さ（光ケーブル10の断面形状は偏平である）より大きく、かつ凹条24を形成した方の内壁面20ｂと凸条22の頂面との距離Ｔは光ケーブルの厚さより小さく設定されている。
【００１６】
上記のように形成された溝20に光ケーブル10を押し込むと、光ケーブル10は、凸条22の両側の角部22ａ、22ｂと凹条24の両側の角部24ａ、24ｂによって、２箇所で逆方向のせん断力を受け、屈曲される。光ケーブル10はこのように角部22ａ、22ｂ、24ａ、24ｂにより２箇所で逆方向のせん断力を受けた状態で把持されるため、例えばケーブル接続箱の外で光ケーブル10が矢印Ｐ方向に引張られても、引き抜け難い。
【００１７】
この点を図３を参照してさらに詳述すると次のとおりである。すなわち、角部22ａ、22ｂ、24ａ、24ｂにより把持されている光ケーブル10に矢印Ｐ方向の引抜き力が加わると、光ケーブル10は角部22ａと24ｂで押えられた状態で角部24ａと22ｂに強く押し付けられる。その結果、角部24ａと22ｂが光ケーブル10の外被に食い込むので、光ケーブル10は引き抜け難くなるのである。また角部24ａと22ｂは直角であるから、引抜き力に対しては光ケーブル10の外被に引っ掛かる方向に作用するが、光ケーブル10を押すのは平面となる。つまり引抜き力には強く耐えて、光ケーブルにかかる側圧は小さいという利点がある。さらにこのケーブル把持部は樹脂成形により作るので、角部22ａ、22ｂ、24ａ、24ｂが直角であるということは、樹脂成形に用いる金型の機械加工が容易であり、金型のコスト上昇を抑えられるという利点もある。なお角部22ａ、22ｂ、24ａ、24ｂは直角ではなく、鋭角にすることもできる。鋭角にすると、外被に食い込みやすくなる。
【００１８】
また溝20の外端は図２（Ａ）に示すように溝20の両側の壁26と一体に形成された薄壁28によって塞がれている。この薄壁28は、溝20にケーブル10を押し込むときにカッターナイフ等により切除される。このような薄壁28を形成しておくと、ケーブル10を押し込んだ溝20の隣りの溝20が空いている（未使用の）場合、ケーブル10を押し込んだ溝20とその隣りの空き溝20との間の壁26が、ケーブル10の押込みにより空き溝側へ傾くのを抑制でき、ケーブル把持力の低下を防止できる。また空き溝20を通して塵埃がケーブル接続箱内に入るのを防止できる。薄壁28の厚さは、ケーブル接続箱の外側から溝20が透けて見える程度に設定すると、薄壁28を切除するときに溝20の輪郭が分かるので、薄壁の切除を容易に正確に行うことができる。
【００１９】
〔実施形態２〕  図４は本発明の他の実施形態を示す。このケーブル把持部18は、凸条22を形成した側の内壁面20ａ及びその凸条22を、溝20の奥部側（下半部）で溝幅が狭く、溝20の開口部側（上半部）で溝幅が広くなるように２段に形成したものである。このようにすると、図４（Ｂ）に示すように溝20の奥部側で厚さの薄い光ケーブル10Ａを把持することができ、同図（Ｃ）に示すように溝20の開口部側で厚さの厚い光ケーブル10Ｂを把持することができる。したがって１つの溝20でサイズの異なる２種類のケーブルを把持することができる。なお図４では厚さの薄い光ケーブル10Ａと厚い光ケーブル10Ｂを別な溝20に押し込む場合を示したが、１つの溝20にサイズの異なる２種類のケーブル10Ａ、10Ｂを押し込んで把持することもできる。
【００２０】
上記以外の構成は図２と同じであるので、図２と同一部分には同一符号を付して説明を省略する。
【００２１】
〔実施形態３〕  図５及び図６は本発明のさらに他の実施形態を示す。図５は図１の光ケーブル接続箱の下側ケース12を示したものである。下側ケース12の底板の中央部にはケーブルガイド突起30が形成されている。ケーブル把持部18を通して下側ケース12内に導入された光ケーブル10は、このガイド突起30のまわりを同じ方向に（図面で半時計回りに）周回するように収納される。
【００２２】
この下側ケース12には、ヒンジ部16を設けた辺を除く３辺にそれぞれ多数のケーブル把持部18が配列されており、これらのケーブル把持部18は、図６に示すように、その配列方向の中間Ｑを境に、凸条22及び凹条24の向きが反対になっている。すなわち凸条22が配列方向の中間Ｑを向き、凹条24が配列方向の両端側を向くように形成されている。
【００２３】
これは次の理由による。すなわち、図２又は図４のようなケーブル把持部12では、下側ケース12内に導入された光ケーブル10が、溝20の内端側の口元で、溝20内での曲がり（凸条22と凹条24による曲がり）と同じ方向に曲げられると、角部22ｂと24ｂによるせん断力の効きが低下するので、ケーブル把持力が弱くなる傾向がある。この傾向は溝20の長さが短くなるほど顕著になる。この問題を解消するためには、下側ケース12内に導入された光ケーブル10が、溝20の内端側の口元で、溝20内での曲がりと反対側に曲げられるようにすればよい。そこでこの実施形態では、ケーブル把持部18の凸条22と凹条24の向きを、図６のように、配列方向の中間Ｑを境に反対にしたものである。このようにすると、図５に示すように下側ケース12内に導入した光ケーブル10をガイド突起30のまわりに周回させるために収束したときに、配列方向の両端付近の光ケーブル10は、溝20の口元で曲げられるとしても、溝20内での曲がりと反対側に曲げられることになるため、把持力の低下はなく、全てのケーブルの把持力を均等化することができる。
【００２４】
【発明の効果】
以上説明したように請求項１に係る発明によれば、凸条と凹条の角部でケーブルにせん断力を加えるようにしてケーブルを把持するため、比較的大きな把持力（耐引抜き力）が得られると共に、ケーブルを押し込んだ溝の隣りの溝が空いている（未使用の）場合、ケーブルを押し込んだ溝とその隣りの空き溝との間の壁が、ケーブルの押込みにより空き溝側へ傾くのを抑制でき、ケーブル把持力の低下を防止できる。また溝を通して塵埃がケーブル接続箱内に入るのを防止できる。
また請求項２に係る発明によれば、各ケーブル把持部を通してケーブル接続箱に導入された多数のケーブルを、輪取りなどのために収束させたときに、各ケーブルの把持力を均等化することができる。
【図面の簡単な説明】
【図１】  本発明に係るケーブル接続箱の一実施形態を示す斜視図。
【図２】  本発明に係るケーブル接続箱で使用するケーブル把持部の一実施形態を示す、（Ａ）は平面図、（Ｂ）は（Ａ）のＢ−Ｂ線断面図、（Ｃ）は（Ａ）のＣ−Ｃ線断面図。
【図３】  図２のケーブル把持部の光ケーブル引抜け防止作用を示す説明図。
【図４】  本発明に係るケーブル接続箱で使用するケーブル把持部の他の実施形態を示す、（Ａ）は平面図、（Ｂ）は（Ａ）のＢ−Ｂ線断面図、（Ｃ）は（Ａ）のＣ−Ｃ線断面図。
【図５】  本発明に係るケーブル接続箱の他の実施形態を示す平面図。
【図６】  図５のケーブル接続箱のケーブル把持部を拡大して示す、（Ａ）は平面図、（Ｂ）は正面図。
【符号の説明】
10：光ケーブル
12：ケーブル接続箱の下側ケース
14：ケーブル接続箱の上側ケース
18：ケーブル把持部
20：溝
22：凸条
22ａ、22ｂ：角部
24：凹条
24ａ、24ｂ：角部
26：壁
28：薄壁
【図１】
0003947023.tif 000002
【図２】
0003947023.tif 000003
【図３】
0003947023.tif 000004
【図４】
0003947023.tif 000005
【図５】
0003947023.tif 000006
【図６】
0003947023.tif 000007